(57)【特許請求の範囲】
【請求項１】
金属管に合成樹脂からなる被覆層を形成したアーチ状のトンネル栽培用支柱において、被覆層の表面に帯状又は点鎖状の節を支柱の長手方向に間隔をあけて複数形成するとともに、該節の間隔を、支柱の曲率半径が大きい部分より小さい部分の方が小さくなるように形成したことを特徴とするトンネル栽培用支柱。
【請求項２】
支柱の長手方向に延びるローレット模様を形成したことを特徴とする請求項１記載のトンネル栽培用支柱。
【請求項３】
支柱の両端部に水密性を有するキャップを備えたことを特徴とする請求項１又は２記載のトンネル栽培用支柱。
【請求項４】
被覆層が、ポリオレフィン系樹脂からなることを特徴とする請求項１、２又は３記載のトンネル栽培用支柱。
【発明の詳細な説明】
【０００１】
【発明の属する技術分野】
本発明は、トンネル栽培用ハウスの骨格を形成するアーチ状の支柱に関し、特に、金属管に合成樹脂からなる被覆層を形成するとともに、被覆層の表面に帯状又は点鎖状の節を形成したアーチ状のトンネル栽培用支柱に関するものである。
【０００２】
【従来の技術】
トンネル栽培用ハウスは、通常、図６に示すように、アーチ状に湾曲させた支柱１０を、所定の間隔をおいて立設するとともに、この支柱１０にハウスの覆いをなすポリ塩化ビニル等の合成樹脂シート７をかぶせることによって、ハウスを形成し、植物に対して、保温や雨、霜除け等の役割を果たすものである。
【０００３】
ところで、従来、トンネル栽培用支柱１０には、例えば、鋼管等の金属管に合成樹脂からなる被覆層を形成したアーチ状のものが多用されている。
【０００４】
【発明が解決しようとする課題】
しかしながら、従来のトンネル栽培用支柱１０は、合成樹脂からなる平滑な被覆層の表面に、ハウスの覆いをなす合成樹脂シート７が、長時間密着することにより、特に、夏場の炎暑による温度上昇の影響によって、合成樹脂シート７の可塑剤が支柱１０の合成樹脂からなる被覆層に移行すること等によって、合成樹脂シート７が支柱１０の表面に接着したり、合成樹脂シート７が劣化して、破れやすくなるという問題があった。
【０００５】
本発明は、上記従来のトンネル栽培用支柱の有する問題点に鑑み、ハウスの覆いをなす合成樹脂シートが、支柱の表面に接着したり、劣化しにくく、ハウスの耐久性を向上することができるトンネル栽培用支柱を提供することを目的とする。
【０００６】
【課題を解決するための手段】
上記の目的を達成するため、本第１発明のトンネル栽培用支柱は、金属管に合成樹脂からなる被覆層を形成したアーチ状のトンネル栽培用支柱において、被覆層の表面に帯状又は点鎖状の節を支柱の長手方向に間隔をあけて複数形成するとともに、該節の間隔を、支柱の曲率半径が大きい部分より小さい部分の方が小さくなるように形成したことを特徴とする。
【０００７】
このトンネル栽培用支柱は、被覆層の表面に形成する節の間隔を、支柱の曲率半径が大きい部分より小さい部分の方が小さくなるように形成しているので、特に、ハウスの覆いをなす合成樹脂シートの張力により、トンネル栽培用支柱の合成樹脂からなる被覆層の表面に、合成樹脂シートが、長時間密着しやすい、支柱の曲率半径の小さい部分において、合成樹脂シートが、支柱の合成樹脂からなる被覆層の表面に面接触で長時間密着することを確実に防止することができ、これにより、通気性を確保して、支柱と合成樹脂シートの接触部の温度上昇を抑えることができることと相俟って、合成樹脂シートの可塑剤が支柱の合成樹脂からなる被覆層に移行すること等によって、合成樹脂シートが支柱の表面に接着したり、劣化することを未然に防止することができる。
また、ハウス内の換気等を行うために、ハウスの覆いをなす合成樹脂シートを部分的に開放する場合に、節の間隔を小さく設定した部分において合成樹脂シートの滑りが生じにくく、合成樹脂シートが保持されやすくなるため、合成樹脂シートを安定した状態で部分的に開放することができ、また、換気等を行った後の復旧作業を簡易に行うことができる。
【０００８】
この場合において、被覆層の周面に、支柱の長手方向に延びるローレット模様を形成することができる。
【０００９】
これにより、ハウスの覆いをなす合成樹脂シートが、支柱の合成樹脂からなる被覆層の表面に面接触で長時間密着することを確実に防止することができ、これにより、通気性を確保して、支柱と合成樹脂シートの接触部の温度上昇を抑えることができることと相俟って、合成樹脂シートの可塑剤が支柱の合成樹脂からなる被覆層に移行すること等によって、合成樹脂シートが支柱の表面に接着したり、劣化することを未然に防止することができる。
【００１０】
また、支柱の両端部に水密性を有するキャップを備えることができる。
【００１１】
これにより、支柱の中空部に雨水や散水が入って鋼管等の金属管が錆びることを防止し、支柱の耐久性を向上することができる。
【００１２】
また、被覆層を、ポリオレフィン系樹脂から構成することができる。
【００１３】
これにより、合成樹脂シートの可塑剤が支柱の合成樹脂からなる被覆層に移行することを防止することができ、合成樹脂シートが支柱の表面に接着したり、劣化することを防止することができるとともに、トンネル栽培用支柱の使用時及び使用後廃棄処分した場合の環境ホルモンの悪影響がなく、また、焼却処分しても塩素ガス等の有害物質の発生がない。
【００１４】
【発明の実施の形態】
以下、本発明のトンネル栽培用支柱の実施の形態を図面に基づいて説明する。
【００１５】
図１〜図３に、本発明のトンネル栽培用支柱の農園芸用支柱の一実施例を示す。
【００１６】
このトンネル栽培用支柱１は、鋼管等の金属管２の表面に、必要に応じて接着剤層３を介して、合成樹脂からなる被覆層４を形成したもので、支柱１の両端部に水密性を有するキャップ６，６を備えるとともに、被覆層４の表面に帯状の節５を形成するようにしている。
【００１７】
この場合において、支柱１の下端部に配設するキャップ６は、支柱１を地中に差し込む際の抵抗を小さくするために、先端を円錐状に尖らせた凸形形状のものを用いるようにする。
このように、支柱１の両端部に水密性を有するキャップ６を配設することにより、支柱１の中空部に雨水や散水が入って鋼管等の金属管２が錆びることを防止し、支柱１の耐久性を向上することができる。
【００１８】
被覆層４の表面に形成した帯状の節５は、被覆層４の厚みを部分的に変えることにより形成したもので、この節５の間隔Ｌ１，Ｌ２，Ｌ３は、支柱１の曲率半径ｒ１，ｒ２，ｒ３が大きい部分より小さい部分の方が小さくなるように、例えば、頂点に近づくに従って曲率半径が小さくなる（ｒ３＞ｒ２＞ｒ１）本実施例の支柱１においては、頂点に近づくに従って節５の間隔が小さくなる（Ｌ３＞Ｌ２＞Ｌ１）なるように、節５を形成するようにする。
この場合、節５の間隔の縮小方式は、特に限定されるものではないが、規則的に、例えば、一定距離ずつ縮小するようにしたり、一定の比で縮小するようにすることができる。
【００１９】
ところで、本実施例においては、節５の間隔を、頂点に近づくに従って１個の節５毎に順次縮小するように形成するようにしたが、これに限定されず、例えば、複数個の節置きに順次縮小するように節５を形成するようにするほか、節の個数を変えて順次縮小するように節５を形成するようにする等、任意の縮小方式を採用することができる。
【００２０】
また、トンネル栽培用支柱１には、本実施例のように、頂点に近づくに従って曲率半径が小さくなるものだけでなく、図４に示すような、曲率半径が支柱１の部位によって変化する種々の形状のものがあるが、このような支柱１の場合においても、節５の間隔が、支柱１の曲率半径が大きい部分（略直線状の部分）Ｙより小さい部分Ｘの方が小さくなるように、節５を形成するようにする。
【００２１】
このトンネル栽培用支柱１は、被覆層４の表面に形成する節５の間隔を、支柱１の曲率半径が大きい部分より小さい部分の方が小さくなるように形成しているので、ハウスの覆いをなす合成樹脂シート７の張力により、支柱１の被覆層４の表面に、合成樹脂シート７が、支柱１の合成樹脂からなる被覆層４の表面に面接触で長時間密着することを確実に防止することができ、これにより、通気性を確保して、支柱１と合成樹脂シート７の接触部の温度上昇を抑えることができることと相俟って、合成樹脂シート７の可塑剤が支柱１の合成樹脂からなる被覆層４に移行すること等によって、合成樹脂シート７が支柱１の表面に接着したり、劣化することを未然に防止することができ、また、節５の間隔をすべて小さく設定する場合と比較して被覆層４に使用する合成樹脂の使用量を低減することができるものとなる。
また、ハウス内の換気等を行うために、ハウスの覆いをなす合成樹脂シート７を部分的に開放する場合に、節５の間隔を小さく設定した部分において合成樹脂シート７の滑りが生じにくく、合成樹脂シート７が保持されやすくなるため、合成樹脂シート７を安定した状態で部分的に開放することができ、また、換気等を行った後の復旧作業を簡易に行うことができる。
【００２２】
また、このトンネル栽培用支柱１は、上記のとおり、金属管２の表面に、必要に応じて接着剤層３を介して、合成樹脂からなる被覆層４を連続押し出しすることにより形成されるが、被覆層４を連続押し出しする際、金型を押し出し方向の前後に摺動運動させることにより、節５を形成するようにしている。
そして、節５を形成する位置及びその形状は、金型の押し出し方向の前後に摺動運動のさせ方を調節すること等によって、容易に変更することができることから、特に、節５と接触する合成樹脂シート７に傷が付かないように、節５の表面は、滑らかに形成することが望ましい。
【００２３】
トンネル栽培用支柱１の基端部の被覆層４には、支柱１の埋め込み作業を行う際の目印となる補助節５Ａ，５Ａを形成することができ（本実施例においては、図１〜図２に示すように、補助節５Ａ，５Ａを近接して形成した２個の節で構成するようにしている。）、これにより、所定の間隔をおいて立設するトンネル栽培用支柱１の高さを簡単に揃えることができるようにしている。
【００２４】
また、本実施例においては、帯状の節５について説明したが、節の形状はこれに限定されず、例えば、帯状に連続しない点鎖状の節とすることができる。
そして、この場合も、節の間隔が、支柱の曲率半径が大きい部分より小さい部分の方が小さくなるように、節５を形成するようにする。
【００２５】
また、被覆層４を形成する合成樹脂やキャップ６，６を形成する合成樹脂には、塩化ビニル系樹脂等の熱可塑性樹脂を用いることもできるが、ポリエチレン、ポリプロピレン、ポリブテン等のポリオレフィン系樹脂を用いることが好ましい。
これにより、合成樹脂シート７の可塑剤が支柱１の合成樹脂からなる被覆層４に移行することを防止することができ、合成樹脂シート７が支柱１の表面に接着したり、劣化することを防止することができるとともに、農園芸用支柱１の使用時及び使用後廃棄処分した場合の環境ホルモンの悪影響がなく、また、焼却処分しても塩素ガス等の有害物質の発生がない。
【００２６】
また、図５に示すように、トンネル栽培用支柱１の被覆層４の周面に、支柱１の長手方向に延びる凹凸状のローレット模様４１を形成することができ、これにより、ハウスの覆いをなす合成樹脂シート６が、支柱１の合成樹脂からなる被覆層４の表面に面接触で長時間密着することを確実に防止することができる。
この場合、被覆層４の表面に形成する節５の間隔は、等間隔に形成することも、トンネル栽培用支柱１の曲率半径が大きい部分より小さい部分の方が小さくなるように形成することもできる。
【００２７】
また、被覆層４を形成する合成樹脂やキャップ６を形成する合成樹脂には、少なくともその表層に、防かび剤、昆虫忌避性着色剤、昆虫忌避剤の少なくとも１種を含有させることができる。
これにより、農園芸用支柱に防かび性、昆虫忌避性を選択的に付与することができ、青果物の無農薬栽培等に好適に用いることができる。
【００２８】
【発明の効果】
本発明のトンネル栽培用支柱によれば、被覆層の表面に形成する節の間隔を、支柱の曲率半径が大きい部分より小さい部分の方が小さくなるように形成しているので、特に、ハウスの覆いをなす合成樹脂シートの張力により、トンネル栽培用支柱の合成樹脂からなる被覆層の表面に、合成樹脂シートが、長時間密着しやすい、支柱の曲率半径の小さい部分において、合成樹脂シートが、支柱の合成樹脂からなる被覆層の表面に、面接触で長時間密着することを確実に防止することができ、これにより、通気性を確保して、支柱と合成樹脂シートの接触部の温度上昇を抑えることができることと相俟って、合成樹脂シートの可塑剤が支柱の合成樹脂からなる被覆層に移行すること等によって、合成樹脂シートが支柱の表面に接着したり、劣化することを未然に防止することができ、ハウスの耐久性を向上することができる。
また、ハウス内の換気等を行うために、ハウスの覆いをなす合成樹脂シートを部分的に開放する場合に、節の間隔を小さく設定した部分において合成樹脂シートの滑りが生じにくく、合成樹脂シートが保持されやすくなるため、合成樹脂シートを安定した状態で部分的に開放することができ、また、換気等を行った後の復旧作業を簡易に行うことができる。
【００２９】
また、被覆層の周面に、支柱の長手方向に延びるローレット模様を形成することにより、ハウスの覆いをなす合成樹脂シートが、支柱の合成樹脂からなる被覆層の表面に面接触で長時間密着することを確実に防止することができ、これによって、通気性を確保して、支柱と合成樹脂シートの接触部の温度上昇を抑えることができることと相俟って、合成樹脂シートの可塑剤が支柱の合成樹脂からなる被覆層に移行すること等によって、合成樹脂シートが支柱の表面に接着したり、劣化することを未然に防止することができ、ハウスの耐久性を向上することができる。
【００３０】
また、支柱の両端部に水密性を有するキャップを備えることにより、支柱の中空部に雨水や散水が入って鋼管等の金属管が錆びることを防止し、支柱の耐久性を向上することができる。
【００３１】
また、被覆層を、ポリオレフィン系樹脂から構成することにより、合成樹脂シートの可塑剤が支柱の合成樹脂からなる被覆層に移行することを防止することができ、合成樹脂シートが支柱の表面に接着したり、劣化することを防止することができるとともに、トンネル栽培用支柱の使用時及び使用後廃棄処分した場合の環境ホルモンの悪影響がなく、また、焼却処分しても塩素ガス等の有害物質の発生がない。
【図面の簡単な説明】
【図１】  本発明のトンネル栽培用支柱の一実施例を示す正面図である。
【図２】  同要部の拡大図である。
【図３】  同構造を示す一部断面斜視図である。
【図４】  本発明のトンネル栽培用支柱の変形例を示す正面図である。
【図５】  本発明のトンネル栽培用支柱の変形例を示す要部の拡大図である。
【図６】  トンネル栽培用ハウスの斜視図である。
【符号の説明】
１    支柱
２    金属管
３    接着剤層
４    被覆層
４１  ローレット模様
５    節
６    キャップ
７    合成樹脂シート
【図１】
0004260987.tif 000002
【図２】
0004260987.tif 000003
【図３】
0004260987.tif 000004
【図４】
0004260987.tif 000005
【図５】
0004260987.tif 000006
【図６】
0004260987.tif 000007